【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
コンテンツデータを提供するサーバの端末装置としての情報処理装置であって、
前記情報処理装置に近接された前記他の端末装置と情報の授受を行う近接無線通信を行う第１の通信部を制御し、前記近接無線通信によって、前記他の端末装置から、少なくとも前記コンテンツデータの識別情報を含む、前記コンテンツデータの管理に利用される管理データを取得する管理データ取得手段と、
前記管理データ取得手段により取得された前記管理データを画像情報として表示部に表示させる表示制御手段と、
前記表示制御手段により制御されて前記表示部に表示された前記管理データを選択することにより前記コンテンツデータを選択する選択操作を受け付ける選択操作受付手段と、
公衆電話回線網を介して前記サーバと通信を行う第２の通信部を制御し、前記サーバに対して、前記選択操作受付手段により受け付けられた前記選択操作により選択されたコンテンツデータを要求する要求手段と、
前記第２の通信部を制御し、前記要求手段による要求に対応して供給される前記コンテンツデータを取得するコンテンツデータ取得手段と
を備える情報処理装置。
【請求項２】
前記管理データは、前記コンテンツデータを提供する前記サーバの接続先を示す情報を含み、
前記要求手段は、前記管理データに基づいて前記接続先にアクセスして前記コンテンツデータを要求する
請求項１に記載の情報処理装置。
【請求項３】
前記管理データを予め記憶する記憶手段と、
前記記憶手段により記憶されている前記管理データを読み出し、前記第１の通信部を制御し、前記近接無線通信によって、近接された前記他の端末装置に、読み出した前記管理データを供給する管理データ供給手段と
をさらに備える請求項１に記載の情報処理装置。
【請求項４】
前記コンテンツデータは、楽曲の音声データである音楽データであり、前記管理データは、楽曲に関する情報である楽曲情報を含む
請求項１に記載の情報処理装置。
【請求項５】
前記コンテンツデータ取得手段により、前記管理データ取得手段により取得された前記管理データに対応するコンテンツデータを前記サーバより取得したことを、前記管理データの提供元である前記他の端末装置に通知する通知手段をさらに備える
請求項１に記載の情報処理装置。
【請求項６】
前記管理データは、前記管理データの提供元である前記他の端末装置の情報を含み、
前記要求手段は、コンテンツデータを要求するとともに、前記管理データの提供元である前記他の端末装置の情報を前記サーバに提供する
請求項１に記載の情報処理装置。
【請求項７】
前記近接無線通信と異なる通信方式により近接無線通信を行う第３の通信部と、
前記第３の通信部を制御して、前記他の装置に対して、前記選択操作受付手段により受け付けられた前記選択操作により選択されたコンテンツデータを要求する要求手段と、
前記第３の通信部を制御し、前記要求手段による要求に対応して供給される前記コンテンツデータを取得するコンテンツデータ取得手段と、
前記第３の通信部による近接無線通信の通信可能範囲内に前記他の装置が存在するか否かを判別する判別手段と
をさらに備え、
前記要求手段は、前記判別手段により前記他の装置が通信可能範囲内に存在しないと判別され、前記選択操作受付手段によりコンテンツデータの選択操作が受け付けられた場合、選択されたコンテンツデータを前記サーバに要求する
請求項１に記載の情報処理装置。
【請求項８】
コンテンツデータを提供するサーバの端末装置としての情報処理装置の情報処理方法であって、
前記情報処理装置に近接された前記他の端末装置と情報の授受を行う近接無線通信を行う第１の通信部を制御し、前記近接無線通信によって、前記他の端末装置から、少なくとも前記コンテンツデータの識別情報を含む、前記コンテンツデータの管理に利用される管理データを取得し、
取得された前記管理データを画像情報として表示部に表示させ、
前記表示部に表示された前記管理データを選択することにより前記コンテンツデータを選択する選択操作を受け付け、
公衆電話回線網を介して前記サーバと通信を行う第２の通信部を制御し、前記サーバに対して、前記選択操作により選択されたコンテンツデータを要求し、
前記第２の通信部を制御し、前記要求に対応して供給される前記コンテンツデータを取得する
ステップを含む情報処理方法。
【請求項９】
サーバが端末装置に対してコンテンツデータを提供する情報処理システムであって、
前記端末装置である第１の端末装置は、
前記第１の端末装置に近接された、他の前記端末装置である第２の端末装置と情報の授受を行う近接無線通信を行う第１の通信部を制御し、前記近接無線通信によって、前記第２の端末装置から、少なくとも前記コンテンツデータの識別情報を含む、前記コンテンツデータの管理に利用される管理データを取得する管理データ取得手段と、
前記管理データ取得手段により取得された前記管理データを画像情報として表示部に表示させる表示制御手段と、
前記表示制御手段により制御されて前記表示部に表示された前記管理データを選択することにより前記コンテンツデータを選択する選択操作を受け付ける選択操作受付手段と、
公衆電話回線網を介して前記サーバと通信を行う第２の通信部を制御し、前記サーバに対して、前記選択操作受付手段により受け付けられた前記選択操作により選択されたコンテンツデータを要求する要求手段と、
前記第２の通信部を制御し、前記要求手段による要求に対応して供給される前記コンテンツデータを取得するコンテンツデータ取得手段と
を備え、
前記第２の端末装置は、
前記管理データを記憶する管理データ記憶手段と、
前記管理データ記憶手段により記憶されている前記管理データを読み出し、前記第２の端末装置に近接された前記第１の端末装置と情報の授受を行う近接無線通信を行う第３の通信部を制御し、前記近接無線通信によって、前記第１の端末装置に、読み出した前記管理データを供給する管理データ供給手段と
を備え、
前記サーバは、
前記コンテンツデータを記憶するコンテンツデータ記憶手段と、
前記公衆電話回線網を介して前記第１の端末装置と通信を行う第４の通信部を制御し、前記第１の端末装置より、コンテンツデータの要求を受け付ける要求受付手段と、
前記要求受付手段により受け付けられた前記要求に基づいて、要求されたコンテンツデータを前記記憶手段から読み出し、前記第４の通信部を制御し、読み出したコンテンツデータを要求元である前記第１の端末装置に供給するコンテンツデータ供給手段と
を備える情報処理システム。
【手続補正２】
【補正対象書類名】明細書
【補正対象項目名】００２０
【補正方法】変更
【補正の内容】
【００２０】
前記管理データは、前記管理データの提供元である前記他の端末装置の情報を含み、前記要求手段は、コンテンツデータを要求するとともに、前記管理データの提供元である前記他の端末装置の情報を前記サーバに提供することができる。
【手続補正３】
【補正対象書類名】明細書
【補正対象項目名】００２１
【補正方法】変更
【補正の内容】
【００２１】
前記近接無線通信と異なる通信方式により近接無線通信を行う第３の通信部と、前記第３の通信部を制御して、前記他の装置に対して、前記選択操作受付手段により受け付けられた前記選択操作により選択されたコンテンツデータを要求する要求手段と、前記第３の通信部を制御し、前記要求手段による要求に対応して供給される前記コンテンツデータを取得するコンテンツデータ取得手段と、前記第３の通信部による近接無線通信の通信可能範囲内に前記他の装置が存在するか否かを判別する判別手段とをさらに備え、前記要求手段は、前記判別手段により前記他の装置が通信可能範囲内に存在しないと判別され、前記選択操作受付手段によりコンテンツデータの選択操作が受け付けられた場合、選択されたコンテンツデータを前記サーバに要求することができる。
【手続補正４】
【補正対象書類名】明細書
【補正対象項目名】００２２
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】